(57)【要約】【目的】動画ファイルを要求した携帯電話の機種に対応したコンテンツ制御情報を，その携帯電話に送信する。【構成】携帯電話20から動画ファイルが要求されると，携帯電話の機種が機種特定装置２において特定される。要求された動画ファイルの取扱いを示すコンテンツ制御情報がコンテンツ制御情報データベース６から読み取られ，制御データ生成装置７において，特定された機種に対応した形式でそのコンテンツ制御情報から制御データが生成される。携帯電話20の機種に対応した制御データと要求された動画ファイルとが携帯電話20に送信される。【選択図】図１
2008228122.tif 000002
【特許請求の範囲】
【請求項１】
送信要求端末装置から送信される送信要求であって，ディジタル・コンテンツの送信要求を受信する受信手段，
上記受信手段によって受信した送信要求を送信した送信要求端末の機種を検出する機種検出手段，
ディジタル・コンテンツを送信する対象である送信対象端末装置の機種ごとに対応しているディジタル・コンテンツ制御情報であって，上記ディジタル・コンテンツの取扱いを制御するディジタル・コンテンツ制御情報が記憶されているディジタル・コンテンツ制御情報データベースから，上記機種検出手段によって検出された機種に対応し，かつ上記送信要求端末装置によって送信要求されたディジタル・コンテンツについてのディジタル・コンテンツ制御情報を見つけ出すディジタル・コンテンツ制御情報検索手段，
上記受信手段によって受信した送信要求に対応したディジタル・コンテンツを，ディジタル・コンテンツが格納されているディジタル・コンテンツ・データベースから見つけ出すディジタル・コンテンツ検索手段，ならびに
上記ディジタル・コンテンツ検索手段により見つけ出されたディジタル・コンテンツおよび上記ディジタル・コンテンツ情報検索手段により見つけ出されたディジタル・コンテンツ制御情報を上記送信要求端末装置に送信する送信手段，
を備えたディジタル・コンテンツ送信装置。
【請求項２】
上記ディジタル・コンテンツ・データベースは，上記送信要求端末装置の機種に対応してディジタル・コンテンツが格納されているものであり，
上記ディジタル・コンテンツ検索手段は，上記受信手段によって受信した送信要求端末装置の機種に対応したディジタル・コンテンツを上記ディジタル・コンテンツ・データベースから見つけ出すものである，
請求項１に記載のディジタル・コンテンツ送信装置。
【請求項３】
ウェブ・ページのひな形を表すひな形ウェブ・ページ・データを入力し，入力したひな形ウェブ・ページ・データによって表されるひな形のウェブ・ページにディジタル・コンテンツのリンク先を示すリンク・データおよび上記ディジタル・コンテンツの取扱いを制御するディジタル・コンテンツ制御情報が埋め込まれるべき位置を検出する埋め込み位置検出手段，
送信要求端末装置からのディジタル・コンテンツ制御ウェブ・ページ・データの送信要求を受信する受信手段，
上記受信手段によって受信した送信要求に応答して，上記リンク・データ埋め込み位置検出手段によって検出された位置に，上記リンク・データおよび上記送信要求端末装置に対応して上記ディジタル・コンテンツ制御情報を埋め込みディジタル・コンテンツ制御ウェブ・ページ・データを生成する生成手段，ならびに
上記生成手段によって生成されたディジタル・コンテンツ制御データを上記送信要求端末装置に送信する送信手段，
を備えたディジタル・コンテンツ制御ウェブ・ページ・データ送信装置。
【請求項４】
受信手段が，送信要求端末装置から送信される送信要求であって，ディジタル・コンテンツの送信要求を受信し，
機種検出手段が，上記受信手段によって受信した送信要求を送信した送信要求端末の機種を検出し，
ディジタル・コンテンツ制御情報検索手段が，ディジタル・コンテンツを送信する対象である送信対象端末装置の機種ごとに対応しているディジタル・コンテンツ制御情報であって，上記ディジタル・コンテンツの取扱いを制御するディジタル・コンテンツ制御情報が記憶されているディジタル・コンテンツ制御情報データベースから，上記機種検出手段によって検出された機種に対応し，かつ上記送信要求端末装置によって送信要求されたディジタル・コンテンツについてのディジタル・コンテンツ制御情報を見つけ出し，
ディジタル・コンテンツ検索手段が，上記受信手段によって受信した送信要求に対応したディジタル・コンテンツを，ディジタル・コンテンツが格納されているディジタル・コンテンツ・データベースから見つけ出し，
送信手段が，上記ディジタル・コンテンツ検索手段により見つけ出されたディジタル・コンテンツおよび上記ディジタル・コンテンツ情報検索手段により見つけ出されたディジタル・コンテンツ制御情報を上記送信要求端末装置に送信する，
ディジタル・コンテンツ送信装置の動作制御方法。
【請求項５】
埋め込み検出手段が，ウェブ・ページのひな形を表すひな形ウェブ・ページ・データを入力し，入力したひな形ウェブ・ページ・データによって表されるひな形のウェブ・ページにディジタル・コンテンツのリンク先を示すリンク・データおよび上記ディジタル・コンテンツの取扱いを制御するディジタル・コンテンツ制御情報が埋め込まれるべき位置を検出し，
受信手段が，送信要求端末装置からのディジタル・コンテンツ制御ウェブ・ページ・データの送信要求を受信し，
生成手段が，上記受信手段によって受信した送信要求に応答して，上記リンク・データ埋め込み位置検出手段によって検出された位置に，上記リンク・データおよび上記送信要求端末装置に対応して上記ディジタル・コンテンツ制御情報を埋め込みディジタル・コンテンツ制御ウェブ・ページ・データを生成し，
送信手段が，上記生成手段によって生成されたディジタル・コンテンツ制御データを上記送信要求端末装置に送信する，
ディジタル・コンテンツ制御ウェブ・ページ・データ送信装置の動作制御方法。
【発明の詳細な説明】
【技術分野】
【０００１】
この発明は，ディジタル・コンテンツ送信装置およびディジタル・コンテンツ制御ウェブ・ページ・データ送信装置ならびにそれらの動作制御方法に関する。
【背景技術】
【０００２】
ディジタル・コンテンツは，パーソナル・コンピュータに限らず携帯電話などでも受信することができる。携帯電話には様々な機種があるために受信する機種に応じてディジタル・コンテンツの形式（フォーマット，ビット・レートなど）が変換され，変換されたディジタル・コンテンツが携帯電話に送信されることがある（特許文献１，２）。
【特許文献１】特開２００１−１９５３３５号公報
【特許文献２】特開２００３−３１９３６５号公報
【０００３】
また，画像情報と画像情報に関連した処理を規定する情報を含む関連情報とから構成されるアイコン情報を含む提供情報を，端末装置の処理能力に適合するように構成するものもある（特許文献３）。
【特許文献３】特開２００３−１６２４７６号公報
【０００４】
動画データなどのディジタル・コンテンツにおいては，その動画データを受信した端末装置にどのように取り扱わせるかを示すディジタル・コンテンツ制御情報も端末装置ごとに異なることが多いので，ディジタル・コンテンツのみを端末装置ごとに形式変換したのでは端末装置ごとにディジタル・コンテンツの取扱いを変えることができない。また，このディジタル・コンテンツ制御情報の記述形式，記述場所も端末装置に依存することがある。
【発明の開示】
【０００５】
この発明は，端末装置に応じてディジタル・コンテンツ制御情報を変えることを目的とする。また，この発明は，端末装置に応じてディジタル・コンテンツ制御情報を記述することを目的とする。
【０００６】
第１の発明によるディジタル・コンテンツ送信装置は，送信要求端末装置から送信される送信要求であって，ディジタル・コンテンツの送信要求を受信する受信手段，上記受信手段によって受信した送信要求を送信した送信要求端末の機種を検出する機種検出手段，ディジタル・コンテンツを送信する対象である送信対象端末装置の機種ごとに対応しているディジタル・コンテンツ制御情報であって，上記ディジタル・コンテンツの取扱いを制御するディジタル・コンテンツ制御情報が記憶されているディジタル・コンテンツ制御情報データベースから，上記機種検出手段によって検出された機種に対応し，かつ上記送信要求端末装置によって送信要求されたディジタル・コンテンツについてのディジタル・コンテンツ制御情報を見つけ出すディジタル・コンテンツ制御情報検索手段，上記受信手段によって受信した送信要求に対応したディジタル・コンテンツを，ディジタル・コンテンツが格納されているディジタル・コンテンツ・データベースから見つけ出すディジタル・コンテンツ検索手段，ならびに上記ディジタル・コンテンツ検索手段により見つけ出されたディジタル・コンテンツおよび上記ディジタル・コンテンツ情報検索手段により見つけ出されたディジタル・コンテンツ制御情報を上記送信要求端末装置に送信する送信手段を備えていることを特徴とする。
【０００７】
第１の発明は，上記ディジタル・コンテンツ送信装置に適した動作制御方法も提供している。すなわち，この方法は，受信手段が，送信要求端末装置から送信される送信要求であって，ディジタル・コンテンツの送信要求を受信し，機種検出手段が，上記受信手段によって受信した送信要求を送信した送信要求端末の機種を検出し，ディジタル・コンテンツ制御情報検索手段が，ディジタル・コンテンツを送信する対象である送信対象端末装置の機種ごとに対応しているディジタル・コンテンツ制御情報であって，上記ディジタル・コンテンツの取扱いを制御するディジタル・コンテンツ制御情報が記憶されているディジタル・コンテンツ制御情報データベースから，上記機種検出手段によって検出された機種に対応し，かつ上記送信要求端末装置によって送信要求されたディジタル・コンテンツについてのディジタル・コンテンツ制御情報を見つけ出し，ディジタル・コンテンツ検索手段が，上記受信手段によって受信した送信要求に対応したディジタル・コンテンツを，ディジタル・コンテンツが格納されているディジタル・コンテンツ・データベースから見つけ出し，送信手段が，上記ディジタル・コンテンツ検索手段により見つけ出されたディジタル・コンテンツおよび上記ディジタル・コンテンツ情報検索手段により見つけ出されたディジタル・コンテンツ制御情報を上記送信要求端末装置に送信するものである。
【０００８】
第１の発明によると，送信要求端末装置の機種が検出される。検出された機種に対応し，要求されたディジタル・コンテンツに対応するディジタル・コンテンツ制御情報がディジタル・コンテンツ制御情報データベースから見つけ出される。また，送信要求端末装置の送信要求に対応したディジタル・コンテンツがディジタル・コンテンツ・データベースから見つけ出される。見つけ出されたディジタル・コンテンツ制御情報およびディジタル・コンテンツが送信要求端末装置に送信される。ディジタル・コンテンツ送信装置は，送信要求端末装置に，機種に対応したディジタル・コンテンツ制御情報を送信できる。
【０００９】
上記ディジタル・コンテンツ・データベースは，上記送信要求端末装置の機種に対応してディジタル・コンテンツが格納されていてもよい。この場合，上記ディジタル・コンテンツ検索手段は，上記受信手段によって受信した送信要求端末装置の機種に対応したディジタル・コンテンツを上記ディジタル・コンテンツ・データベースから見つけ出すものとなろう。
【００１０】
第２の発明によるディジタル・コンテンツ制御ウェブ・ページ・データ送信装置は，ウェブ・ページのひな形を表すひな形ウェブ・ページ・データを入力し，入力したひな形ウェブ・ページ・データによって表されるひな形のウェブ・ページにディジタル・コンテンツのリンク先を示すリンク・データおよび上記ディジタル・コンテンツの取扱いを制御するディジタル・コンテンツ制御情報が埋め込まれるべき位置を検出する埋め込み位置検出手段，送信要求端末装置からのディジタル・コンテンツ制御ウェブ・ページ・データの送信要求を受信する受信手段，上記受信手段によって受信した送信要求に応答して，上記リンク・データ埋め込み位置検出手段によって検出された位置に，上記リンク・データおよび上記送信要求端末装置に対応して上記ディジタル・コンテンツ制御情報を埋め込みディジタル・コンテンツ制御ウェブ・ページ・データを生成する生成手段，ならびに上記生成手段によって生成されたディジタル・コンテンツ制御データを上記送信要求端末装置に送信する送信手段を備えていることを特徴とする。
【００１１】
第２の発明は，上記ディジタル・コンテンツ制御ウェブ・ページ・データ送信装置に適した動作制御方法も提供している。すなわち，この方法は，埋め込み検出手段が，ウェブ・ページのひな形を表すひな形ウェブ・ページ・データを入力し，入力したひな形ウェブ・ページ・データによって表されるひな形のウェブ・ページにディジタル・コンテンツのリンク先を示すリンク・データおよび上記ディジタル・コンテンツの取扱いを制御するディジタル・コンテンツ制御情報が埋め込まれるべき位置を検出し，受信手段が，送信要求端末装置からのディジタル・コンテンツ制御ウェブ・ページ・データの送信要求を受信し，生成手段が，上記受信手段によって受信した送信要求に応答して，上記リンク・データ埋め込み位置検出手段によって検出された位置に，上記リンク・データおよび上記送信要求端末装置に対応して上記ディジタル・コンテンツ制御情報を埋め込みディジタル・コンテンツ制御ウェブ・ページ・データを生成し，送信手段が，上記生成手段によって生成されたディジタル・コンテンツ制御データを上記送信要求端末装置に送信するものである。
【００１２】
第２の発明によると，ひな形ウェブ・ページ・データによって表されるひな形ウェブ・ページにディジタル・コンテンツへのリンク先を示すリンク・データおよびディジタル・コンテンツ情報が埋め込まれるべき位置が検出される。送信要求端末装置からのディジタル・コンテンツ制御ウェブ・データの送信要求があると，検出された埋め込み位置にリンク・データおよびディジタル・コンテンツ制御情報が埋め込まれる。リンク・データおよびディジタル・コンテンツ制御情報が埋め込まれたディジタル・コンテンツ制御ウェブ・ページ・データが送信要求端末装置に送信される。送信要求端末装置に対応したディジタル・コンテンツ制御情報が埋め込まれたディジタル・コンテンツ制御ウェブ・ページ・データを，その送信要求端末装置に送信できる。
【実施例】
【００１３】
図１は，この発明の実施例を示すもので，動画送信装置の電気的構成を示すブロック図である。
【００１４】
この実施例による動画送信装置は，動画ファイル（ディジタル・コンテンツ，静止画ファイルなど動画ファイルに限らない）を要求した携帯電話（送信要求端末装置）の機種に対応した形式をもつ動画ファイルをその携帯電話に送信するとともに，その動画ファイルの取扱いを示すコンテンツ制御情報も携帯電話の機種に対応したものをその携帯電話に送信する。動画ファイルだけでなく，コンテンツ制御情報も機種に依存するが送信対象の携帯電話の機種に対応したコンテンツ制御情報を，その携帯電話に送信できるようになる。
【００１５】
携帯電話20から動画の送信要求を表わす送信リクエスト・ファイルが動画送信装置に送信される。携帯電話20から送信された送信リクエスト・ファイルが動画送信装置の通信装置１において受信される。
【００１６】
通信装置１において受信された送信リクエスト・ファイルに含まれるヘッダ情報は，機種特定装置２に入力する。ヘッダ情報には，UserAgentが含まれており，機種特定装置２は，このUserAgentを利用して携帯電話20の機種を特定する。携帯電話20の機種を示すデータは，コンテンツ形式選択装置３および制御データ生成装置７に入力する。
【００１７】
送信リクエスト・ファイルに含まれる本体部分の情報は，コンテンツ制御情報取得装置５に入力する。コンテンツ制御情報取得装置５は，入力する本体部分の情報から携帯電話20から要求される動画ファイルを特定する。たとえば，本体部分に，携帯電話20が要求する動画ファイルの格納先を示すＵＲＬ（uniform resource locator）が記録されており，そのＵＲＬから，携帯電話20が要求する動画ファイルを特定できる。また，コンテンツ制御情報取得装置５にはコンテンツ制御情報データベース６が接続されている。コンテンツ制御情報データベース６には，動画ファイルの取り扱いを定めたコンテンツ制御情報が動画ファイルごとに格納されている。携帯電話20が要求する動画ファイルに対応するコンテンツ制御情報がコンテンツ制御情報データベース６からコンテンツ制御情報取得装置５に読み取られる。コンテンツ制御情報取得装置５において特定された，携帯電話20が要求する動画ファイルを示すデータは，コンテンツ形式選択装置３に入力する。また，コンテンツ制御情報取得装置５において取得されたコンテンツ制御情報は，制御データ生成装置７に入力する。
【００１８】
図２は，コンテンツ制御情報データベース６に格納されているコンテンツ制御情報の一例である。
【００１９】
コンテンツ制御情報データベース６には，上述したように動画ファイルごとにコンテンツ制御情報が格納されている。コンテンツ制御情報には，動画ファイルを受信した携帯電話における不揮発性メモリへの保存の可否，受信した動画ファイルの電子メールへの添付の可否，受信した動画ファイルの外部記録媒体への移動またはコピーの可否，受信した動画ファイルの再生回数，受信した動画ファイルの再生可能期間，受信した動画ファイルの再生可能期限，受信する動画ファイルのストリーミングの可否，受信した動画ファイルについての有料再送信情報および受信した動画ファイルの再生回数増加情報がある。有料再送信情報は，特定のＵＲＬのウェブ・ページにアクセスすることにより，料金を支払って動画ファイルによって表わされる動画を閲覧するときの情報であり，その特定のＵＲＬが記述される。再生回数増加情報は，特定のＵＲＬのウェブ・ページにアクセスすることにより，再生可能回数を増加することのできる情報であり，その特定のＵＲＬが記述される。
【００２０】
コンテンツ制御情報データベース６に格納されているこのようなコンテンツ制御情報のうち，要求された動画ファイルに対応するコンテンツ制御情報がコンテンツ制御情報取得装置５によって読み取られる。
【００２１】
図１に戻って，上述したように，コンテンツ形式選択装置３には，機種特定装置２から出力された機種を示すデータおよびコンテンツ制御情報取得装置５から出力された動画ファイルを示すデータが入力する。また，コンテンツ形式選択装置３には機種属性データベース４が接続されている。機種属性データベース４には，動画ファイルの形式を表わす機種属性情報が送信対象端末装置の機種ごとに格納されている。機種属性データベース４に格納されている機種属性情報のうち，機種特定装置２において特定された機種に対応する機種属性情報が機種属性データベース４から読み出される。
【００２２】
図３は，機種属性データベース４に格納されている機種属性情報の一例である。
【００２３】
機種属性情報には，動画に付加されている音声を表す音声データの音声符号化方式，動画の動きを表わす映像データの映像符号化方式，音声ビット・レート，映像ビット・レート，映像フレーム・レート，音声サンプリング周波数，映像表示解像度，音声チャネル数，システム符号化方式（音声と映像との多重化方式），制御データ記述方式，制御データ記述場所（動画ファイル内部，動画へリンクするウェブ・ページ上，通信プロトコル上など）がある。これらの機種属性情報が送信対象端末装置の機種ごとに機種属性データベース４に格納されている。
【００２４】
図１に戻って，要求された動画ファイルについて，特定された機種の機種属性情報に対応した動画ファイルが動画ファイル・データベース８から読み取られるようにコンテンツ形式選択装置３によって動画選択装置９が制御される。たとえば，携帯電話20によって要求された動画が「動画Ａ」であり，かつ携帯電話20の機種が「携帯電話Ａ」であるとすると，動画データベース８に格納されている動画ファイルのうち，「動画Ａ」の内容を示す動画ファイルであって，「携帯電話Ａ」の機種属性情報に対応した形式をもつ動画ファイルが動画選択装置９によって読み出される。動画データベース８には，同じ内容を示す動画ファイルであっても送信対象端末装置に対応した形式をもつ多数の動画ファイルが格納されているのはいうまでもない。動画選択装置９によって動画データベース８から読み出された動画ファイルは切換スイッチ10のＳ２端子に与えられる。
【００２５】
上述したように，制御データ生成装置７には，機種特定装置２から出力された機種を示すデータおよびコンテンツ制御情報取得装置５から出力されたコンテンツ制御情報が入力する。また，制御データ生成装置７も機種属性データベース４が接続されており，機種属性データベース４に格納されている機種属性情報のうち，特定された機種に対応する機種属性情報が制御データ生成装置７に入力する。制御データ生成装置７において，入力したコンテンツ制御情報が，特定された機種に対応する機種属性情報に含まれる制御データ記述方式にしたがって方式で記述され，かつ制御データ記述場所にしたがった場所に記述されたコンテンツ制御データ（コンテンツ制御ウェブ・ページを表すＨＴＭＬ：HyperText Markup Languageファイル）が生成される。生成されたコンテンツ制御データは切換スイッチ10のＳ１端子に与えられる。
【００２６】
切換制御回路（図示略）によって切換スイッチ10が制御され，Ｓ１端子が接続されることにより，コンテンツ制御データが通信装置１に与えられ，通信装置１によって携帯電話20に送信される。切換スイッチ10のＳ２端子が接続されることにより，動画ファイルが通信装置１に与えられ，通信装置１によって動画ファイルが携帯電話20に送信される。携帯電話20に送信された動画ファイルによって表される動画は，携帯電話20に送信されたコンテンツ制御データによって表される制御情報にもとづいて取り扱われるようになる（すなわち，制御情報がその動画ファイルを不揮発性メモリに保存することを許可していなければ，その動画ファイルを不揮発性メモリに保存できないなど）。
【００２７】
送信要求端末装置における動画の再生形式に適した動画ファイルがその送信要求端末装置に送信されるだけでなく，送信要求端末装置の機種に対応したコンテンツ制御情報を，その送信要求端末装置に送信することができるようになる。
【００２８】
上述の実施例においては，コンテンツ制御データは，ウェブ・ページ・データとして，動画送信装置から携帯電話20に送信されているが，ウェブ・ページ・データとして送信するのではなく，通信プロトコル上のデータとして携帯電話20に単に送信するようにしてもよい。また，再生時間の長い有料動画と再生時間の短い無料動画とを用意しておき，無料動画には有料動画へのリンクを，有料動画には無料動画へのリンクを含めるようなコンテンツ制御情報をコンテンツ制御データベース６に格納するようにしてもよい。
【００２９】
図４ならびに図５（Ａ）および（Ｂ）は，変形例を示している。この変形例は，上述したコンテンツ制御情報を含むコンテンツ制御ウェブ・ページを見やすく，かつ使いやすくするものである。
【００３０】
図４を参照して，制御データ生成装置７Ａには，上述した機種データおよびコンテンツ制御データのほかにひな形ウェブ・ページ・データおよびコンテンツ関連情報が入力する。入力した機種データ，コンテンツ制御データ，ひな形制御データおよびコンテンツ関連情報を用いて制御データ生成装置７Ａにおいてコンテンツ・ウェブ・ページ・データが生成される。生成されたウェブ・ページ・データは，上述のように動画を要求した携帯電話20に送信される。ひな形ウェブ・ページ・データは，詳しくは後述するようにコンテンツ・ウェブ・ページ・データを生成するためのひな形である。コンテンツ関連情報は，上述のように携帯電話20から要求のあった動画のタイトル，動画の内容を表す静止画，説明，ファイル・サイズなどの情報である。
【００３１】
図５（Ａ）は，ひな形ウェブ・ページ・データによって表されるひな形ウェブ・ページの一例である。
【００３２】
ひな形ウェブ・ページ30には，ウェブ・ページ30を提供している会社名の文字列31およびＰｒｉｖａｃｙ  ｐｏｌｉｃｙの文字列41のほかに，＜＃Ｔｉｔｌｅ＞の文字列32および38，＜＃Ｔｈｕｍｂｎａｉｌ＃＞の文字列33および39，＜＃ＭｏｖｉｅＩＤ＝１２３＃＞の文字列34および40，＜Ｄｅｓｃｒｉｐｔｉｏｎ＞の文字列35，＜＃Ｓｉｚｅ＞ＭＢの文字列36，ならびに再生時間＜＃Ｔｉｍｅ＞秒の文字列37が含まれている。このようなひな形ウェブ・ページを表すデータ（ＨＴＭＬファイル）が上述のように制御データ生成装置７Ａに入力する。
【００３３】
＜＃Ｔｉｔｌｅ＞の文字列32および38の位置に，コンテンツ情報に含まれるタイトルの文字列が表示されるように，＜＃Ｔｈｕｍｂｎａｉｌ＃＞の文字列33および39の位置に静止画が表示されるように，＜＃ＭｏｖｉｅＩＤ＝１２３＃＞の文字列34および40の位置にＭｏｖｉｅＩＤ＝１２３によって特定される動画ファイルへのリンク・データおよびコンテンツ制御情報が埋め込まれるように，コンテンツ制御ウェブ・ページ・データが生成される。また，＜Ｄｅｓｃｒｉｐｔｉｏｎ＞の文字列35の位置に説明が表示されるように，＜＃Ｓｉｚｅ＞ＭＢの文字列36の位置にＭｏｖｉｅＩＤ＝１２３によって特定される動画ファイルのデータ量が表示されるように，再生時間＜＃Ｔｉｍｅ＞秒の文字列37の位置にＭｏｖｉｅＩＤ＝１２３によって特定される動画ファイルの再生時間が表示されるように，コンテンツ制御ウェブ・ページ・データが生成される。
【００３４】
図５（Ｂ）は，制御データ生成装置７Ａにおいて生成されたコンテンツ制御ウェブ・ページ・データによって表されるコンテンツ制御ウェブ・ページの一例である。
【００３５】
コンテンツ制御ウェブ・ページ50には，上述したひな形ウェブ・ページ30と同様に会社名の文字列51およびＰｒｉｖａｃｙ  ｐｏｌｉｃｙの文字列61のほかに，タイトル（商品名Ｘ，商品名Ｙ）の文字列52および58，静止画53および59，説明（高性能ＰＣ）の文字列55，動画ファイルのサイズを示す文字列56，動画の再生時間を示す文字列57が含まれている。静止画は，動画ファイルによって表される動画から抽出するようにしてもよい。
【００３６】
静止画53の位置にはリンク・データが埋め込まれており，静止画53がクリックされることにより，埋め込まれているリンク・データによって特定されるリンク先の動画ファイルが動画送信装置に要求される。また，静止画53の位置にはコンテンツ制御ウェブ・ページ上では現れないが，コンテンツ制御情報も埋め込まれている。このコンテンツ制御情報により，上述したリンク先の動画ファイルの取扱いが決定される。コンテンツ制御ウェブ・ページ・データが動画送信装置から携帯電話に送信されることにより（あらかじめ携帯電話から動画送信装置にコンテンツ制御ウェブ・ページの送信要求が行われよう），携帯電話の表示画面にコンテンツ制御ウェブ・ページ50が表示される。上述したように，静止画53がクリックされることにより，埋め込まれているリンク・データによって特定されるリンク先の動画ファイルの送信要求となり，静止画53の位置に埋め込まれているコンテンツ制御情報にしたがって動画ファイルが取り扱われる。コンテンツ制御情報は，たとえば，ＨＴＭＬにしたがうのであれば，オブジェクト・タグを埋め込む。オブジェクト・タグによって，挟まれるパラメータによって制御情報を表わすことができる。
【００３７】
上述の実施例においては，ハードウエアにより構成されているが，ソフトウエアにより実現してもよいのはいうまでもない。また，動画ファイル等を送信する端末装置は携帯電話に限らず，パーソナル・コンピュータ，ＰＤＡ（Personal Digital Assistant）などでもよい。
【図面の簡単な説明】
【００３８】
【図１】動画送信装置の電気的構成を示すブロック図である。
【図２】コンテンツ制御情報の一例である。
【図３】機種属性情報の一例である。
【図４】制御データ生成装置を示している。
【図５】（Ａ）はひな形ウェブ・ページを，（Ｂ）はコンテンツ制御ウェブ・ページを示している。
【符号の説明】
【００３９】
１  通信装置
２  機種特定装置
３  コンテンツ形式選択装置
４  機種属性データベース
５  コンテンツ制御情報取得装置
６  コンテンツ制御情報データベース
７，７Ａ  制御データ生成装置
８  動画データベース
【図１】
2008228122.tif 000003
【図２】
2008228122.tif 000004
【図３】
2008228122.tif 000005
【図４】
2008228122.tif 000006
【図５】
2008228122.tif 000007